(57)【要約】【目的】  情報の記録密度が高まることによって再生信号に波形干渉が生じてしても、それを簡単に除去ではるようにする。【構成】  情報を光ビームＬを用いて記録媒体である光ディスク１０に多値レベルで記録するのに先立ち、記録波形発生回路７によって多値情報列からなるテストデータを発生し、レーザ駆動回路８と光ヘッド９によってそのテストデータを光ディスク１０に記録し、それを光ヘット゛９と再生信号増幅器２によって再生する。そして、ＣＰＵによって再生対象とする記録情報の再生信号レベルとその前又は後の少なくとも一方の記録情報の再生信号レベルにおける波形干渉の線形成分とに基づいて、再生対象とする記録情報の再生信号レベルの目標値を設定し、記録再生信号比較器３と判別器４とによって、再生信号レベルがその目標値になるように記録条件記憶部５に記憶されている記録条件を変更する。【選択図】        図１
2005158119.tif 000002
【特許請求の範囲】
【請求項１】
情報を光ビームを用いて記録媒体に多値レベルで記録する情報記録方法において、
その情報の記録に先だって、多値情報列からなるテストデータを前記記録媒体に記録して再生し、再生対象とする記録情報の再生信号レベルと、その前又は後の少なくとも一方の記録情報の再生信号レベルにおける波形干渉の線形成分とに基づいて、再生対象とする記録情報の再生信号レベルの目標値を設定し、再生信号レベルがその目標値になるように情報の記録条件を変更することを特徴とする情報記録方法。
【請求項２】
前記目標値は、前記再生対象とする記録情報の再生信号レベルと、その前後の波形干渉受けているとみなされる範囲の各記録情報の再生信号レベルにそれぞれ係数を乗じて加算した値に基づいて設定することを特徴とする請求項１記載の情報記録方法。
【請求項３】
請求項２記載の情報記録方法において、前記再生対象とする記録情報の前後の波形干渉受けているとみなされる範囲の各記録情報の再生信号レベルのうち、最も波形干渉量が少ないものの波形干渉量が、前記多値レベルの最小レベル差より小さいことを特徴とする情報記録方法。
【請求項４】
請求項線１乃至３のいずれか一項に記載の情報記録方法において、
前記多値情報列からなるテストデータとして、再生信号のレベルが最大レベル又は最小レベルとなる基準レベルの情報を連続して記録し、その中に再生信号のレベルが前記基準レベルとの差が最大となるレベルの情報を一つだけ記録することを特徴とする情報記録方法。
【請求項５】
請求項４記載の情報記録方法において、
前記基準レベルとの差が最大となるレベルの情報を記録した位置をｎとし、その前後の情報の記録位置をそれぞれｎ−１，ｎ＋１とし、その連続する記録位置ｎ−１，ｎ，ｎ＋１にぞれぞれ記録された情報Ｄｎ−１，Ｄｎ，Ｄｎ−１の再生信号をそれぞれＲｎ−１，Ｒｎ，Ｒｎ−１とし、前記位置ｎに記録された情報の再生信号Ｒｎの振幅をＬmax、多値記録のレベル数をＬＶ、前記基準レベルの情報の再生信号レベルをＬ０としたとき、前記目標値をＵｎを、
Ｕｎ＝Ｄｎ−１×Ｌｍ／(ＬＶ−１)×Ｒｎ−１／Ｒｎ
＋Ｄｎ×Ｌｍ／(ＬＶ−１)
＋Ｄｎ＋１×Ｌｍ／(ＬＶ−１)×Ｒｎ＋１／Ｒｎ＋Ｌ０
によって求めることを特徴とする情報記録方法。
【請求項６】
請求項線１乃至３のいずれか一項に記載の情報記録方法において、
前記多値情報列からなるテストデータとして、再生信号のレベルが最大レベル又は最小レベルとなる基準レベルの情報を連続して記録し、続いて再生信号のレベルが前記基準レベルとの差が最大となるレベルの情報を連続して記録した後、前記基準レベルの情報と前記差が最大となるレベルの情報とを交互に記録することを特徴とする情報記録方法。
【請求項７】
請求項６記載の情報記録方法において、
前記基準レベルの情報と該基準レベルとの差が最大となるレベルの情報をそれぞれ連続して記録した部分の再生信号の振幅をＳ１とし、前記基準レベルの情報と前記差が最大となるレベルの情報とを交互に記録した部分の再生信号の振幅をＳ２とし、対象情報の記録位置をｎ、その前後の情報の記録位置をそれぞれｎ−１，ｎ＋１とし、その連続する記録位置ｎ−１，ｎ，ｎ＋１にぞれぞれ記録された情報をＤｎ−１，Ｄｎ，Ｄｎ−１として、多値記録のレベル数をＬ１、前記基準レベルの情報の再生信号レベルをＬ０としたとき、前記目標値Ｕｎを、
Ｕｎ＝Ｄｎ−１×(Ｓ１−Ｓ２)／２／(ＬＶ−１)
＋Ｄｎ×(Ｓ１＋Ｓ２)／２／(ＬＶ−１)
＋Ｄｎ＋１×(Ｓ１−Ｓ２)／２／(ＬＶ−１)＋Ｌ０
によって求めることを特徴とする情報記録方法。
【請求項８】
前記テストデータを、再生信号の増幅利得を制御するオートゲインコントロール用マークとしても使用することを特徴とする請求項６記載の情報記録方法。
【請求項９】
前記テストデータを、前記記録媒体におけるユーザ情報を記録する領域以外の領域に記録することを特徴とする請求項１乃至８のいずれか一項に記載の情報記録方法。
【請求項１０】
前記記録媒体として、情報の書き換え可能な記録媒体を使用することを特徴とする請求項１乃至９のいずれか一項に記載の情報記録方法。
【請求項１１】
情報を光ビームを用いて記録媒体に多値レベルで記録する情報記録装置において、
その情報の記録に先だって、多値情報列からなるテストデータを前記記録媒体に記録して再生する手段と、
再生対象とする記録情報の再生信号レベルと、その前又は後の少なくとも一方の記録情報の再生信号レベルにおける波形干渉の線形成分とに基づいて、再生対象とする記録情報の再生信号レベルの目標値を設定する手段と、
再生信号レベルがその目標値になるように情報の記録条件を変更する手段とを設けたことを特徴とする情報記録装置。
【発明の詳細な説明】
【技術分野】
【０００１】
この発明は、情報を光ディスク等の記録媒体に多値情報として記録する情報記録方法および情報記録装置に関する。
【背景技術】
【０００２】
従来、光ディスクへの記録密度を高密度化するための技術として、２値記録で、より小さいピットや記録マークを光ディスクに形成する技術が提案されている。しかし、情報記録装置の光源の発光波長、および対物レンズのＮＡ（開口数）に限界があるため、形成できるピットおよび記録マークの大きさの限界は、自ずとそれらによって決まる。そこで、情報記録装置の光源、対物レンズのＮＡを変更することなく、記録容量を増大するために、３値以上の多値記録方式の光ディスク記録方法がＯＤＳ等の学会で発表されている。
【０００３】
しかし、多値記録方式では、情報の再生時に符号間干渉によって多値レベルの判定を誤りやすいという問題がある。このような符号間干渉による影響を除去し、再生誤りを低減することができるようにするために、特許文献１に見られるように、記録媒体の所定の情報単位における多値情報と、それに隣接する（前後に来る）２つの情報単位の多値情報との関係に応じて、その所定の情報単位に照射するべき光照射エネルギーを決定するようにした多値情報記録方法が記載されている。
【特許文献１】特開２００１−８４５９２号公報
【発明の開示】
【発明が解決しようとする課題】
【０００４】
しかしながら、従来の情報記録方法では、記録パワーを補正しきれない場合があることがわかった。
図１４は、相変化型光ディスクに多値データ列「０，１，７，１，０」を記録したときの記録マークの観察結果の説明図である。この図１４に基づいて、従来の情報記録方法による８値記録における不具合を説明する。
【０００５】
従来の情報記録方法によれば、相変化型光ディスクのトラックＴｒのセルＳｅ毎に複数の多値データからなる多値データ列「０，１，７，１，０」の各多値データ「０」「１」「７」「１」「０」を記録するとき、多値データ列「０，１，７，１，０」内の前方のパタン（１）「０，１，７」及び後方のパタン（２）「７，１，０」における両多値データにおける「１」の記録条件は等しくなる。ところが、図１４に示す観察結果から、パタン（１）の多値データ「１」の記録マークｍ１と、パタン（１）と（２）に共通の多値データ「７」の記録マークｍ７は各セルに記録されるものの、パタン（２）では、多値データ「１」の記録マークｍがセルに形成されなかったり、あるいは形成され難かしかったりするという問題があった。
また、他のパタンについても同様の実験を行ったところ、長いマーク（８値記録の場合では多値データ「５」以上の記録マーク）の直後では記録マークが形成され難い傾向があるという問題があった。
その原因については次のようなことが考えられる。
【０００６】
図１５は、図１４に示したパタン（１）とパタン（２）を記録するときの記録パワーの変化の波形図である。
図１４に示したパタン（１）を記録する場合、図１５の（ａ）に示す波形のように、レーザビームの照射エネルギーであるレーザパワー（記録パワー）を、多値データ「０」「１」「７」に相当する記録パワーにそれぞれ対応させて多段階に変化させた記録パルスを照射する。また、図１４に示したパタン（２）を記録する場合、図１５の（ｂ）に示す波形のように、レーザパワー（記録パワー）を多値データ「７」「１」「０」に相当する記録パワーにそれぞれ対応させて多段階に変化させた記録パルスを照射する。
【０００７】
その記録パルスは図１６に示すように、ライトパワー：Ｐｗ（トップパルス），バイアスパワー：Ｐｂ（クーリングパルス）及びイレースパワー：Ｐｅ（イレースパルス）からなる。
パタン（２）の「７，１，０」を記録する場合は、多値データ「１」を記録する際の積算光量（図１５（ｂ）に示す斜線部に相当する）が、イレースパワー：Ｐｅによるイレースパルス（図中ａで示す範囲）の分だけパタン（１）よりも短くなるので、情報記録媒体の記録層の温度が十分に上昇しなくなり、多値データ「１」の記録マークが形成され難くなると考えられる。
【０００８】
この発明は、このような問題を解決するためになされたものであり、情報の記録密度を高めることによって再生信号に波形干渉が生じてしても、その影響を比較的簡単に除去できるようにすることを目的とする。
【課題を解決するための手段】
【０００９】
この発明による情報記録方法は、情報を光ビームを用いて記録媒体に多値レベルで記録する情報記録方法であって、上記の目的を達成するため、その情報の記録に先だって、多値情報列からなるテストデータを上記記録媒体に記録して再生し、再生対象とする記録情報の再生信号レベルと、その前又は後の少なくとも一方の記録情報の再生信号レベルにおける波形干渉の線形成分とに基づいて、再生対象とする記録情報の再生信号レベルの目標値を設定し、再生信号レベルがその目標値になるように情報の記録条件を変更することを特徴とする。
【００１０】
上記目標値は、再生対象とする記録情報の再生信号レベルと、その前後の波形干渉受けているとみなされる範囲の各記録情報の再生信号レベルにそれぞれ係数を乗じて加算した値に基づいて設定するとよい。
この場合、上記再生対象とする記録情報の前後の波形干渉受けているとみなされる範囲の各記録情報の再生信号レベルのうち、最も波形干渉量が少ないものの波形干渉量が、上記多値レベルの最小レベル差より小さいことが望ましい。
【００１１】
それらの情報記録方法において、上記多値情報列からなるテストデータとして、再生信号のレベルが最大レベル又は最小レベルとなる基準レベルの情報を連続して記録し、その中に再生信号のレベルが前記基準レベルとの差が最大となるレベルの情報を一つだけ記録するとよい。
【００１２】
その場合、上記基準レベルとの差が最大となるレベルの情報を記録した位置をｎとし、その前後の情報の記録位置をそれぞれｎ−１，ｎ＋１とし、その連続する記録位置ｎ−１，ｎ，ｎ＋１にぞれぞれ記録された情報Ｄｎ−１，Ｄｎ，Ｄｎ−１の再生信号をそれぞれＲｎ−１，Ｒｎ，Ｒｎ−１とし、位置ｎに記録された情報の再生信号Ｒｎの振幅をＬmax、多値記録のレベル数をＬＶ、基準レベルの情報の再生信号レベルをＬ０としたとき、目標値をＵｎを、
Ｕｎ＝Ｄｎ−１×Ｌｍ／(ＬＶ−１)×Ｒｎ−１／Ｒｎ
＋Ｄｎ×Ｌｍ／(ＬＶ−１)
＋Ｄｎ＋１×Ｌｍ／(ＬＶ−１)×Ｒｎ＋１／Ｒｎ＋Ｌ０
によって求めることができる。
【００１３】
また、上記多値情報列からなるテストデータとして、再生信号のレベルが最大レベル又は最小レベルとなる基準レベルの情報を連続して記録し、続いて再生信号のレベルが前記基準レベルとの差が最大となるレベルの情報を連続して記録した後、前記基準レベルの情報と前記差が最大となるレベルの情報とを交互に記録するようにしてもよい。
【００１４】
その場合は、上記基準レベルの情報と該基準レベルとの差が最大となるレベルの情報をそれぞれ連続して記録した部分の再生信号の振幅をＳ１とし、上記基準レベルの情報と上記差が最大となるレベルの情報とを交互に記録した部分の再生信号の振幅をＳ２とし、対象情報の記録位置をｎ、その前後の情報の記録位置をそれぞれｎ−１，ｎ＋１とし、その連続する記録位置ｎ−１，ｎ，ｎ＋１にぞれぞれ記録された情報をＤｎ−１，Ｄｎ，Ｄｎ−１として、多値記録のレベル数をＬ１、基準レベルの情報の再生信号レベルをＬ０としたとき、目標値Ｕｎを、
Ｕｎ＝Ｄｎ−１×(Ｓ１−Ｓ２)／２／(ＬＶ−１)
＋Ｄｎ×(Ｓ１＋Ｓ２)／２／(ＬＶ−１)
＋Ｄｎ＋１×(Ｓ１−Ｓ２)／２／(ＬＶ−１)＋Ｌ０
によって求めることができる。
【００１５】
この場合のテストデータを、再生信号の増幅利得を制御するオートゲインコントロール用マークとしても使用することができる。
上記いずれのテストデータも、記録媒体におけるユーザ情報を記録する領域以外の領域に記録するのが望ましい。
その記録媒体として、相変化型光ディスク等の情報の書き換え可能な記録媒体を使用するとよい。
【００１６】
この発明による情報記録装置は、情報を光ビームを用いて記録媒体に多値レベルで記録する情報記録装置であって、前述の目的を達成するため、その情報の記録に先だって、多値情報列からなるテストデータを前記記録媒体に記録して再生する手段と、再生対象とする記録情報の再生信号レベルと、その前又は後の少なくとも一方の記録情報の再生信号レベルにおける波形干渉の線形成分とに基づいて、再生対象とする記録情報の再生信号レベルの目標値を設定する手段と、再生信号レベルがその目標値になるように情報の記録条件を変更する手段とを設けたものである。
【発明の効果】
【００１７】
この発明の情報記録方法によれば、情報の記録密度が高まることによって再生信号に波形干渉が生じてしても、それを比較的簡単に除去することができる。
【発明を実施するための最良の形態】
【００１８】
以下、この発明を実施するための最良の形態を図面に基づいて具体的に説明する。
図１は、この発明による情報記録方法を実施する情報記録装置の一実施例である光ディスク記録再生装置の概略構成を示すブロック図である。
この図１に示す光ディスク記録再生装置は、情報記録媒体である光ディスク１０を回転させるモータ１と光学ヘッド９を備えている。その光学ヘッド９には、光ディスク１０に光Ｌを照射するための半導体レーザと、その半導体レーザから出射される光Ｌを絞る対物レンズ、および光ディスク１０からの反射光を電気信号に変換する受光器等からなる光ピックアップが設けられている。
【００１９】
また、変調信号を発生する変調信号発生器６と、その変調信号に基づいて記録波形を発生すると共に、後述する記録条件記憶部５から記録条件を読み出す記録波形発生回路７と、その記録波形発生回路７で発生された記録波形と読み出された記録条件とに基づいて光学ヘッド９に搭載されている半導体レーザを駆動するレーザ駆動回路８とを備えている。
さらに、光学ヘッド９から出力される電気信号（再生信号）を増幅する再生信号増幅器２と、それによって増幅された再生信号のレベルと後述する目標信号レベル（目標値）とを比較する記録再生信号比較器３と、その比較結果と所定の規定値との大小を判別して、比較結果が所定の規定値以上である場合に記録条件を更新する判別器４と、記録条件が記憶される記録条件記億部５と、再生信号増幅器２によって増幅された再生信号を利得制御して増幅して出力するオートゲインコントロール（ＡＧＣ）回路１１も備えている。
なお、この光ディスク記録再生装置には、図示を省略しているが、この装置の各部の動作を統括的に制御するとともに、後述する再生信号レベルの目標値を算出する処理等を実行するマイクロコンピュータ（ＣＰＵ）が設けられている。
【００２０】
図２は、図１の光ディスク１０の模式的な平面図である。この図２に示すように、光ディスク１０は、周辺領域に試し記録エリア２０を設け、中心領域にユーザエリア２１を設けている。試し記録エリア２０とは、以下に説明するテストデータが記録されるエリアである。ユーザエリア２１とは、本来的にユーザによって所要の情報が記録されるエリアである。なお、光ディスク１０は、後述するように、判別器４によって、記録再生信号比較器３の比較結果が所定の規定値以上であると判別される限り、記録条件記億部５に記憶されている記録条件の更新が数回行われるので、相変化型光ディスクなどの書き換え可能な記録媒体であると好ましい。
【００２１】
次に、図１に示した光ディスク記録再生装置の動作について説明する。光ディスク１０に対して情報の記録を行う場合には、まず、モータ１によって光ディスク１０を所定の回転速度で回転させる。変調信号発生器６は、あらゆるパタンが含まれたテストデータの変調信号を発生して、記録波形発生回路７へ出力する。
記録波形発生回路７は、変調信号発生器６から出力される変調信号を入力すると、記録条件記憶部５に記憶されている情報を記録する際の記録条件を読み込み、変調信号の多値パタンに基づく記録波形（記録パルス）を発生して、記録条件と共にレーザ駆動回路８へ出力する。なお、記録条件記憶部５には、予め、後述する所定の記録条件（レーザビームの照射エネルギーなど）を記憶しておく。
【００２２】
レーザ駆動回路８は、記録波形発生回路７から出力される記録波形を入力すると、その記録波形と記録条件記憶部から読み込んだ記録条件とに従って、光学ヘッド９に設けられた光ピックアップの半導体レーザを駆動する駆動信号を生成して、光ヘッド９へ出力する。
光学ヘッド９の光ピックアップは、レーザ駆動回路８から出力される駆動信号に応じた記録パワーのレーザ光を半導体レーザから出射させ、対物レンズによりそのレーザ光Ｌを光ディスク１０上に集光させる。こうして、光ディスク１０には、テストデータに基づく記録マーク（或いはピット）が形成される。
なお、この記録マークは、上述のように、図２に示した光ディスク１０の試し記録エリア２０に記録するようにしている。こうすると、ユーザエリア２１に記録される情報に対して悪影響が生じないし、ユーザエリア２１の記憶容量が低下しない。
【００２３】
次いで、その光ディスク１０から記録情報を再生する場合には、光学ヘッド９の光ピックアップは、半導体レーザから再生パワーのレーザ光を出射し、対物レンズにより光ディスク１０上にそのレーザ光Ｌを集光させる。すると、光ディスク１０からの反射光が光学ヘッド１０の光ピックアップに設けられた受光器に入射して受光される。
受光器は、受光した光ディスク１０からの反射光を電気信号に変換し、再生信号増幅器２へ出力する。
【００２４】
再生信号増幅器２は、受光器から出力された電気信号のレベルを増幅して、記録再生信号比較器３とＡＧＣ回路１１へパラレルに出力する。なお、光ディスク１０にテストデータしか記録していない場合には、テストデータの再生信号を出力する必要がないので、ＡＧＣ回路１１への出力を停止してもよい、あるいは、ＡＧＣ回路１１側でテストデータの再生信号を廃棄するようにしてもよい。
【００２５】
記録再生信号比較器３は、再生信号増幅器２から出力された電気信号を入力すると、この電気信号である再生信号レベルと目標信号レベルとを比較して、比較結果を判別器４へ出力する。
判別器４は、記録再生信号比較器３から出力された比較結果を入力すると、比較結果と所定の規定値との大小を判別する。判別の結果、比較結果が所定の規定値以上の場合には、多値レベルの判定誤りが生じやすいので、記録条件記億部５に記憶されている記録条件を更新する。一方、比較結果が所定の規定値よりも小さい場合には、多値レベルの判定誤りが生じにくいので、記録条件記億部５に記憶されている情報を記録する際の記録条件を更新しない。そして、上記誤差が規定値より小さくなるまで、上述の処理を呉れ返すことによって、最適記録条件が得られる。
【００２６】
テストデータではなく、実際の記録対象の情報を光ディスク１０に対して記録し、記録情報を再生した場合には、ＡＧＣ回路１１では、再生信号増幅器２から出力された電気信号を入力し、この再生信号を利得制御して増幅し、図示しない外部出力手段に対して出力する。
ここで、目標信号レベルの設定手法について説明する。光ディスク１０に形成した情報を再生して得た再生信号のレベルは、記録マーク毎に完全に独立していて、周囲の記録マークからの再生信号の波形干渉がないことが望ましい。
【００２７】
しかし、情報の記録密度が高くなると再生信号レベルが波形干渉の影響を受けやすくなる。そのため、この波形干渉の影響を考慮して、記録対象の情報を補正する必要が生じる。波形干渉における非線形性成分は除去が難しいが、線形性成分は波形等化回路などを用いて比較的簡単に除去できる。
そこで、この実施例では、線形性成分を比較的簡単に除去できることに着目して、目標信号レベルを、周囲の記録マーク等からの再生信号の波形干渉における線形性成分を加えたものにしている。
【００２８】
記録されている情報をＤｎ、目標値をＵｎとし、ｎを各記録マークの並び順に応じて記録情報に付された番号とし、ｋｉｎをｎ番目の情報とｉ番目の情報との干渉量（相関係数）とすると、目標値Ｕｎは数１に示す式（１）によって求めることができる。
【数１】
2005158119.tif 000003
理論的には、変数ｉは、−無限大から＋無限大へ変化させる必要があるが、再生信号の干渉量は距離に反比例して増減するため、再生対象の情報が記録されている記録マークに対して、相対的に遠くに位置する記録マークからの再生信号に基づく波形干渉は、実用上無視しても問題がない。具体的には、変数ｉはｎ−１からｎ＋１或いはｎ−２からｎ＋２程度の範囲で変化させれば十分である。この範囲は干渉量に基づいて決定すればよい。
【００２９】
図３は、図１の光ディスク記録再生装置で行う目標値の設定方法の説明図である。
図３の（ａ）は、多値情報列「０，０，０，７，０，０，０」からなるテストデータ（テストパターン）を光ディスク１０に多値記録した後、その光ディスク１０に再生パワーの光を照射してその記録データを再生して得た再生信号波形を示している。なお、この図３（ａ）では、光ディスク１０に記録されている多値情報列「０，０，０，７，０，０，０」の各情報Ｄｎ−２，Ｄｎ−１，Ｄｎ，Ｄｎ＋１，Ｄｎ＋２の再生信号をＲｎ−２，Ｒｎ−１，Ｒｎ，Ｒｎ＋１，Ｒｎ＋２とし、その各信号レベルを矢印で示している。この場合の再生信号の最大レベル差はＬ７で示す最大のレベル７となる。
【００３０】
図３の（ｂ）は、多値情報列「０，０，０，１，０，０，０」からなる記録データを光ディスク１０に多値記録した後、その光ディスク１０に再生パワーの光を照射して記録データを再生して得た再生信号波形を示している。この場合の再生信号の最大レベル差はＬ１で示す最小のレベル１となる。
なお、ここでは８値記録の場合を例示しているが、８値以外の多値記録の場合にも同様に、再生信号の最大レベル差が最大および最小になるような情報を光ディスク１０に記録すればよい。
【００３１】
図３の（ａ）に示すように、再生信号の最大レベル差がレベル７の場合には、今対象とする情報「７」の再生信号Ｒｎの直前直後の情報「０」の再生信号Ｒｎ±１は再生信号Ｒｎからの干渉を相対的に強く受け、１つ置いた前後の情報「０」の再生信号Ｒｎ±２は再生信号Ｒｎからの干渉を相対的に弱く受けることになる。一方、図３の（ｂ）に示すように、再生信号の最大レベル差がレベル１の場合には、対象とする情報「１」の再生信号Ｒｎの前後の情報「０」再生信号はいずれも再生信号Ｒｎからの干渉を受けないことになる。この実施例では、図３の（ｂ）に示す情報「１」のレベル１のレベル差（振幅）を、目標信号レベル（目標値）を設定する際の分解能として用いる。
【００３２】
そこで、図３の（ａ）に示したように、基準レベルである情報「０」が連続する中の情報「７」の再生信号Ｒｎのレベル差Ｌ７と、その前後の情報「０」の再生信号Ｒｎ＋ｘ（ｘは任意の整数で、大きくなる程干渉量が少なくなる）との間で、次の不等式式（２）を満たすｘを求め、変数ｉの範囲をｎ±（ｘ−１）までにして式（１）の計算をすれば、目標値Ｕｎを求めることができる。実際には、不等式（２）における再生信号レベルＲｎ＋ｘは、上述したレベル差Ｌ１の１／１０程度になるようにすればよい。
【００３３】
Ｌ１＞＞Ｒｎ＋ｘ    （２）
すなわち、対象情報の記録位置ｎのｉ個前からｉ個後の記録位置の範囲の情報を目標値の設定に用いることになる。そのｉ個前およびｉ個後の記録位置の情報の波形干渉量が分解能として必要なレベル差、この例では情報「１」の再生信号のレベル差（多値レベルの最小レベル差）より小さくなるように、変数１の範囲を選定する。
【００３４】
前述の式（１）における相関計数ｋｉｎは線形が前提であるので、図３のＲｎ，Ｒｎ＋１，Ｒｎ＋２から求めることができる。データのレベル数をＬＶ（図３に示した例では「８」）とすると、データＤｎの再生信号の振幅値は、次の式（３）で表わすことができる。この式（３）におけるＬmaxは、再生信号の最大レベルと最小レベルの差であり、図３に示した例ではレベル０とレベル７の差である。
Ｄｎの振幅値＝Ｄｎ×Ｌmax／(ＬＶ−１)      （３）
【００３５】
そして、前述の不等式（２）を満たすｘが「２」の場合、ｘ−１＝１となり、式（１）を、その変数ｉの範囲をｎ±１とし、式（２）を用いて次の式（４）に変換することができる。
Ｕｎ＝Ｄｎ−１×Ｌmax／(ＬＶ−１)×Ｒｎ−１／Ｒｎ
＋Ｄｎ×Ｌｍ／（ＬＶ−１）×Ｒｎ／Ｒｎ
＋Ｄｎ＋１×Ｌｍ／（ＬＶ−１）×Ｒｎ＋１／Ｒｎ＋Ｌ０        （４）
なお、Ｌ０は基準レベルの情報「０」の再生信号が隣接する情報の再生信号による波形干渉を受けない場合の再生信号レベルである。
【００３６】
このようにして目標値Ｕｎを求めることができる。この例は、上述したようにｘが「２」で、再生信号Ｒｎ−１からＲｎ＋１の間で波形干渉が生じる場合に、目標信号レベルＵｎを算出する場合の例である。なお、干渉量が増えてｘが「３」の場合は、Ｒｎ−２からＲｎ＋２の間で目標信号レベルを算出するようにすればよく、干渉量に応じて項数を増減すればよい。
この発明に使用する多値情報列からなるテストデータとしては、図３に示した例に限らず、再生信号のレベルが最大レベル又は最小レベルとなる基準レベルの情報を連続して記録し、その中に再生信号のレベルが基準レベルとの差が最大となるレベルの情報を一つだけ記録するようにすればよい。
【００３７】
次に、図１に示した光ディスク記録再生装置で行う目標値の他の設定方法について、図４によって説明する。
この図４は、基準レベルとしての最大レベルのデータが連続した後最小レベルのデータが連続し、その後最大レベルと最小レベルのデータが交互に繰り返すように配列された８値の多値データ列「０，０，０，０，０，０，０，７，７，７，７，７，７，７，０，７，０，７，０」をテストデータ（テストパターン）として光ディスク１０に８値記録し、その光ディスクに再生パワーの光を照射して、記録情報を再生して得た再生信号波形を例を示している。この再生信号の最大レベル差はＳ１で示す最大のレベル７となる。
【００３８】
なお、図３を用いて説明した例の場合と同様に、８値記録以外の多値記録の場合でも、テストデータとして最大レベルのデータが連続した後に最小レベルのデータが連続し、その後最大レベルと最小レベルのデータが交互に繰り返すように配列された多値データ列の情報を光ディスクに記録し、それを再生するようにすればよい。
記録データ「０」が連続している箇所と記録データ「７」が連続している箇所とのレベル差をＳ１とし、記録データ「７」と記録データ「０」とが交互に配列された箇所でのレベル差をＳ２とすると、次の式（５）および式（６）が成立する。
この式におけるＬ０も、基準レベルの情報「０」の再生信号が隣接する情報の再生信号による波形干渉を受けない場合の再生信号レベルである。
【００３９】
Ｓ１＝Ｒｎ−１＋Ｒｎ＋Ｒｎ＋１          （５）
Ｓ２＝Ｒｎ−（Ｒｎ−１＋Ｒｎ＋１）      （６）
ここで、Ｒｎ−１とＲｎ＋１とはほぼ等しいので、このＳ１およびＳ２と、データのレベル数ＬＶとから、目標値Ｕｎを次の式（７）によって算出することができる。
Ｕｎ＝｛Ｄｎ−１×(Ｓ１＋Ｓ２)／２｝／｛(ＬＶ−１)×(Ｓ１−Ｓ２)／(Ｓ１＋Ｓ２)｝
＋｛Ｄｎ×(Ｓ１＋Ｓ２)／２｝／｛(ＬＶ−１)×(Ｓ１＋Ｓ２)／(Ｓ１＋Ｓ２)｝
＋｛Ｄｎ＋１×(Ｓ１＋Ｓ２)／２｝／｛(ＬＶ−１)×(Ｓ１−Ｓ２)／(Ｓ１＋Ｓ２)｝
＋Ｌ０        （７）
【００４０】
式（７）は、さらに次の式（８）に変換することができる。
Ｕｎ＝｛Ｄｎ−１×(Ｓ１−Ｓ２)／２｝／(ＬＶ−１)
＋｛Ｄｎ×(Ｓ１＋Ｓ２)／２｝／(ＬＶ−１)
＋｛Ｄｎ＋１×(Ｓ１−Ｓ２)／２｝／(ＬＶ−１)
＋Ｌ０        （８）
図４に示す記録パタンは最大振幅を有しているので、ＡＧＣマークとしても使用できる。そのため、別途特別なデータとしてＡＧＣマークを書き込む必要がない。
これらの方法による再生信号の目標値を求める処理は、図１に示した光ディスク記録再生装置における図示を省略しているマイクロコンピュータ（ＣＰＵ）によって実行する。
【００４１】
そして、図１に示した光ディスク記録再生装置を用いて、テストデータの再生信号レベルと目標信号レベル（上述の目標値）との差が所望の値に収束するまで記録条件（レーザビームの照射エネルギーの条件）を更新していき、多値データ判定誤り率を低減する。
そこで、この図１に示した光ディスク記録再生装置による情報記録方法について説明する前に、この情報記録方法で採用している多値データ判定方法について、情報を８値記録する場合を例に説明する。
【００４２】
図５は、光ディスクにランダムの多値データ列を記録してから、その記録した多値データ列を再生したときの再生信号レベルの分布図である。図６は、図５に示す分布図を判定対象に係る記録セルの直前に位置する記録セルに記録されている多値データを基準に書き換えた分布図である。
図５に示すように、多値データ「１」の再生信号レベルの分布と、これに隣接する多値データ「０」及び「２」の再生信号レベルの分布とに一部重なった領域が生じている。この重なった領域に存在する再生信号レベルを判定するときに、判定対象の信号レベルが多値データ「０」、「１」のいずれであるか、又は「１」、「２」のいずれであるかを判定しがたいため、多値データ判定誤りが生じる場合がある。
【００４３】
また、図６に示すように、例えば前多値データが「４」の場合の各信号レベルの分布は８つのブロックに分離されている。前多値データが「４」以外でも、前多値データ「２」及び「６」の場合の各信号レベルの各分布では、ブロック間の間隔が若干狭くなってはいるが、ブロック相互の重なりは生じていない。したがって、多値データ「１」の再生信号レベルの分布と、これに隣接する多値データ「０」及び「２」の再生信号レベルの分布とに一部重なった領域が生じていても、判定対象に係る記録セルの直前に位置する記録セルに記録されている、前多値データを取得すれば、判定対象とする多値データの判定誤りを低減できそうなことがわかる。
【００４４】
また、図５に示す分布図を判定対象に係る記録セルの直後に位置する記録セルに記録されている多値データを基準に書き換えた分布図を作成しても図６て同様になり、判定対象に係る記録セルの直後に位置する記録セルに記録されている、後多値データによっても、判定対象とする多値データの判定誤りを低減できそうなことがわかる。
そこで、図１に示した光ディスク記録再生装置では、判定対象に係る記録セル及びその記録セルの直前又は直後に位置する記録セルに記録された各多値データと、それらの再生信号レベルとの関係を分析することによって、多値データの判定基準を設定する。すなわち、判定対象の直前又は直後の記録セルに記録された多値データに基づいて、判定対象に係る記録セルに記録されている情報を再生することによって得られる多値データの分布を分割することによって、多値データを判定する。
【００４５】
この実施例の情報記録方法では、上記の判定方法に合わせて、判定対象に係る記録セルの直前及び直後に位置する記録セルの少なくとも一方に記録されている多値データ毎に、再生信号レベルの分布が分離できるように、再生信号レベルの各分布が均等に配置され、かつ各分布における偏差が最小になるまで、記録条件を判定対象に係る記録セルの前多値データあるいは後多値データの組合せ毎に補正するものである。
この記録条件補正方法は、２つ工程からなる。まず、第１の工程では、記録条件を最適化するための目標となる目標信号レベルを設定する。次の第２の工程では、記録したテストデータの再生信号レベルを目標信号レベルに収束させるために記録条件の最適化を行う。
【００４６】
図７は、光ディスクに情報を記録する際の記録条件の補正方法における第１の工程の動作を示すフローチャートである。図８は、光ディスク１０への情報を記録する際の記録条件の補正方法における第２の工程の動作を示すフローチャートである。これらの処理は、図１に示した光ディスク記録再生装置における図示を省略したマイクロコンピュータを中心にして実行される。
この第１の工程では、図７に示すように、まず図１に示した変調信号発生器６によって、あらゆるパタンが含まれたテストデータを発生させる（ステップＳ１）。そして、記録波形発生回路７が、その変調信号発生器６から出力されたテストデータを入力し、これをトリガとして、記録条件表記億部５に記憶されている記録条件テーブルを読みこむ（ステップＳ２）。次いで、その記録波形発生回路７は、テストデータと記録条件記憶部５に記憶してあるデータとに基づいて多値データの組合せに対応した記録パルスを発生させる（ステップＳ３）。
【００４７】
その記録パルスによって、レーザ駆動回路８が光学ヘッド９を駆動して、所定の記録パワーの光を光ディスク１０に照射することによって、光ディスク１０にテストデータを記録する（ステップＳ４）。
次いで、光学ヘッド９によって所定の再生パワーの光を光ディスク１０に照射し、そこに記録された情報を再生する（ステップＳ５）。この再生結果から、多値データの組合せに対応した再生信号レベルを抽出し、仮想的に記録パラメータテーブルを作成する（ステップＳ６）。その一例を表１に示す。
【００４８】
【表１】
2005158119.tif 000004
【００４９】
この表１には、判定対象に係る記録セル（「対」と略記）（ｊ）の多値データと、その記録セルの前後にそれぞれ位置する前記録セル（「前」と略記）（ｉ）及び後記録セル（「後」と略記）（ｋ）の各多値データと、記録セル（ｊ）に記録されている情報を再生したときの再生信号レベル（電圧値）Ｖijkと、その再生信号レベルＶijk に対応する記録パラメータＷＰijk とを示している。
【００５０】
各記録セルｉ〜ｋの記憶先には、多値レベル「０」〜「７」のいずれかを示すデータが記憶される。再生信号レベルＶijk及び記録パラメータＷＰijkには、各記録セルｉ〜ｋが「０００」，「００１」，「００２」，…，「７７７」である全ての組み合わせを示すデータが記憶される。それを、表１においては「Ｖ０００〜Ｖ７７７」及び「ＷＰ０００〜ＷＰ７７７」で示している。
【００５１】
つぎに、目標信号レベルＵijkを設定するために、再生信号から目標値を計算する（ステップＳ７）。つづいて、その目標値の計算によって算出した結果から、仮想的に目標値テーブルを作成する（ステップＳ８）。その目標値テーブルの一例を表２に示す。
そして、その目標値テーブルを、光ディスク記録再生装置のＣＰＵによってメモリに記憶する（ステップＳ９）。こうして、第１の工程を終了する。
【００５２】
【表２】
2005158119.tif 000005
【００５３】
表２には、判定対象に係る記録セル（「対」と略記）（ｊ）の多値データと、その記録セルの前後にそれぞれ位置する前記録セル（「前」と略記）（ｉ）及び後記録セル（「後」と略記）（ｋ）の各多値データと、算出した目標信号レベルＵijkとを示している。
なお、作成した目標値テーブルを記憶する際には、例えば目標値テーブルの各行の目標信号レベルが等間隔に配置される態様で記憶してもよい。しかし、記録がマークが小さい多値データ「０」、「１」、「２」は符号間干渉を受けやすく、その分布の偏差が他の多値データより大きくなる（図５参照）ので、マージンのある記録マークが大きい多値データの間隔を狭くして、その分だけ間記録マークが小さい多値データ「０」、「１」、「２」の間隔を広く設定するような態様で記憶れば、より正確に判定対象の多値データが「０」〜「７」のいずれであるかを判定することができる。
【００５４】
続いて、記録条件補正方法の第２の工程について説明する。最初に設定する記録条件は、各多値データの再生信号レベルの平均値が、多値データ「０」、「１」、…、「７」という多値データを示す値の増加に対して、ほぼ線形に増加するような記録パルス波形および記録パワーとする。あるいは、予め初記録条件を示すデータを、情報記録媒体である光ディスクに記録しておけば、この工程を省略することができる。
その初記録条件を示すデータは、図２に示した光ディスク１０のユーザエリア２１の領域外に記録すれば、ユーザエリア２１の有効記録容量を減らさずに済む。また、このデータをピットとして記録しておけば、光ディスク１枚ごとにわざわざ記録する必要がなくなり、光ディスクの大量生産を容易にすることができる。
【００５５】
第２の工程では図８に示すように、まず、第１の工程で設定されて記憶された表２に示したような目標値テーブルを読み込む（ステップＳ１１）。その後、ステップＳ１２〜１７によって、図８に示した第１の工程におけるステップＳ１〜６に対応する処理を実行して、表１に示したような記録パラメータテーブルを作成する。
その後、その記録パラメータテーブルの各再生信号レベルＶijk と、ステップ１１で読み込んだ目標値テーブルにおける各目標値Ｕijkとの差Δを、各組合せごとに計算し、それぞれその差Δと所定のしきい値δとを比較する（ステップＳ１４）。その比較の結果、全ての組み合わせにおいてΔ＜δであれば処理を終了す。しかし、Δ≧δとなる組み合わせがあれば、その組合せの記録条件をΔが小さくなるように変更して記録条件テーブルを更新する（ステップＳ１９）。
【００５６】
次に、図１に示した光ディスク記録再生装置における記録条件の補正処理について説明する。情報を記録する際の記録パルスは、トップパルス、クーリングパルス、およびイレースパルスを含む。図１６に示したように、１記録セルの記録時間（Ｔ０）は一定とし、記録マークの大きさは、トップパルス幅(Ｔｂ−Ｔａ)およびクーリングパルス幅(Ｔｃ−Ｔｂ)によって、あるいは記録パワーＰｗおよび消去パワーＰｅを変更することによって制御する。
【００５７】
しかし、制御のしやすさから、信号レベルの調整は主にクーリングパルス幅を制御することによって行う。ただし、長い記録マーク（８値記録の場合は多値データ５以上）の後の記録マーク形成時には、光ディスクの記録層を加熱するエネルギーが不足するため、クーリングパルス幅だけでなく、トップパルス幅が長くなるように、あるいは記録パワーＰｗが強くなるように補正する。
【００５８】
図９は、記録パワーＰｗを１５．０ｍＷ、消去パワーＰｅを８．０ｍＷ、バイアスパワーＰｂを０．１ｍＷとしたときの、記録線速度６．０ｍ／ｓにおける信号レベルのＴｏｆｆ（クーリングパルス幅）依存性を示す線図である。横軸にはＴｏｆｆ［ｎｓ］を示し、縦軸には信号レベルを示している。ここで、Ｔｏｆｆはクーリングパルス幅であり、図１６におけるＴｃ−Ｔｂの時間を意味し、信号レベルは多値レベル「０」の信号レベルが［１］となるように規格化してある。また、Ｔｏｎはトップパルス幅であり、図１６におけるＴｂ−Ｔａの時間を意味する。
【００５９】
図９に示すように、多値レベル「０」から多値レベル「７」までの多値レベル間の信号レベルの差がほぼ等しくなるようにするには、多値レベル「１」〜「３」ではトップパルス幅Ｔｏｎを５ｎｓとし、多値レベル「４」ではＴｏｎを１０ｎｓとし、多値レベル「６」，「７」ではＴｏｎを２０ｎｓとすればよいことが分かる。
この条件下では、多値レベル「１」「２」「３」「４」「５」「６」「７」とするときのクーリングパルス幅Ｔｏｆｆを、それぞれ１１ｎｓ程度、１５ｎｓ程度、２２ｎｓ程度、１７ｎｓ程度、１９ｎｓ程度、２９ｎｓ程度、および５２ｎｓ程度とすればよいということがわかる。
【００６０】
このように、各多値レベルにおいてクーリングパルス幅Ｔｏｆｆを変えたときの信号レベルの変化率を、図１に示した記録条件記憶部５に記録してあるデータを初期化する際に計算して、各計算結果を記憶しておけば、再生信号レベルを目標信号レベルに収束させるために必要なパラメータの補正量を算出することができる。こうすれば既述の第１の工程の実行回数が少なくても、記録条件の最適化を行うことができる。
【００６１】
また、最適な記録条件あるいは推奨される記録条件を、予め光ディスク１０または光ディスク記録再生装置の図示しないメモリに記憶しておくこともできる。その場合には、その記憶されている記録条件に基づいて、光ディスクに対して情報を記録し、その記録した情報を再生した際に、多値データ判定誤り率が高い多値データ系列があった場合は、その多値データ系列だけを補正するだけで済むので、短時間で記録条件の最適化を行うことができる。また、この更新された最適な記録条件を、情報記録媒体である光ディスクまたは光ディスク記録再生装置のメモリに記録する。こうすれば、光ディスクまたは光ディスク記録再生装置の経時変化または環境変化に応じて記録条件を最適化することができる。
【００６２】
図１０は、光ディスクの基板上の膜構成を示す説明図である。光ディスクは波長６５０ｎｍのレーザ光で記録が可能な相変化型の光ディスクである。その基板１００は、直径１２０ｍｍ、厚さ０．６ｍｍのポリカーボネートからなり、その基板１００表面上には、図１０には示していないが射出成形によってグループが形成されている。そのグループは、幅約０．３５μｍ、深さ約４０ｎｍ、トラックピッチ０．７４μｍで内周から外周まで連続したスパイラルとして形成されている。そして、その基板１００上に、誘電体膜１０１、相変化記録膜１０２、誘電体膜１０３、反射膜１０４が順次積層されている。
【００６３】
この相変化型の光ディスクに対して、照射するレーザ光の波長６５０ｎｍ、対物レンズのＮＡが０．６５の光ディスク記録再生装置によって、記録線速度６．０ｍ／ｓ，セル長０．４８μｍ（Ｔ０＝８０ｎｓ）,レーザパワーＰｅ＝８ｍＷ, Ｐｗ＝１５ｍＷ, Ｐｂ＝０．１ｍＷで８値記録する。テストパタンは、８３＝５１２通りのパタンを準備する。
【００６４】
ここで、上述した記録条件最適化による効果について、図１１および図１２と表３および表４によって説明する。
図１１は、記録条件最適化後における図５に対応する再生信号レベルの分布図である。図１２は、図１１に示す分布図を判定対象に係る記録セルの直前に位置する記録セルに記録されている多値データ（前多値データ）を基準に書き換えた分布図である。
【００６５】
図１１においては、まだ隣接多値データと分布が重なっている部分があるが、前多値データ毎のグループに分割したときの再生信号レベルの分布である図１２では、前多値データが「０」〜「７」のいずれの場合にも、判定対象の各多値データの再生信号レベルの偏差の範囲が分離しており、正確に判定することが可能なことが分かる。
表３は、記録条件テーブル最適化前の多値データ判定誤りを示す表であり、表４は、記録条件テーブル最適化後の多値データ判定誤りを示す表である。
【００６６】
【表３】
2005158119.tif 000006
【００６７】
【表４】
2005158119.tif 000007
【００６８】
記録条件テーブル最適化前、すなわちピット形状の最適化前の多値データ判定誤りの平均は、表３に示すように２．０８％であった。これに対して、記録条件テーブル最適化後の多値データ判定誤りの平均は、表４に示すように０．０７％になった。
このように、記録条件を最適化することにより、多値データ判定誤りが低減することが確かめられた。
【００６９】
次に、この発明による情報記録装置である光デイスク記録再生装置で使用する光ディスクの他の例について説明する。すなわち、光ディスクとして再生専用型の光ディスク（ＲＯＭディスク）を用いてもよい。前述した相変化型光ディスクでは、再生光スポット内にある結晶領域とアモルファス領域との面積比を多段階に変えることによって多値記録を行うのに対して、このＲＯＭディスクでは、ピット面積、ピット深さ、ピット位置のいずれかを制御することによって多値記録を行う。その例を図１３によって説明する。
【００７０】
図１３の（ａ）は、フォトレジストを塗布したガラス原盤上にピット列の潜像を形成するときの時間とレーザパルスの照射パワーとの関係を示している。ピット面積、ピット深さはレーザパワーおよびレーザ照射時間で制御し、ピット位置はレーザを照射するタイミングで制御している。ピットの最大深さは、再生信号の最大振幅が得られるようにλ／4（λ：再生光の波長）に設定し、これはガラス原盤に塗布するフォトレジストの膜厚で制御している。
図１１の（ｂ）は、ａ）に示した大きさのレーザパルスを照射した後に現像することによってピットを形成したガラス原盤の平面図である。図１１の（ｃ）は、（ｂ）各ピットを横切る断面図である。同図の（ｄ）は、ガラス原盤に記録した情報を再生することによって得られる多値再生信号波形を示す線図である。
【００７１】
このガラス原盤を使用して型を作り、その型を用いて射出成形により再生専用型光ディスクを作製する。その光ディスクの基板は、例えば、直径１２０ｍｍ、厚さ０．６ｍｍのポリカーポネートからなり、基板表面上には、射出成形により繰グルーブを形成されている。そのグルーブ形状は、例えば、最大幅約０．３５μｍ、最大深さ約１００ｎｍ、トラックピッチ０．７４μｍで内週から外周まで連続したスパイラルとして形成している。その基板上に、反射膜を形成して再生専用型光ディスクを作製する。そのグルーブに沿って前述したピットが形成される。その記録セル長は、例えば、０．４８μｍ（Ｔ０＝８０ｎｓ）であり、８値記録とする。
このＲＯＭディスクに対する記録データの再生は、前述した相変化型光ディスクの場合と同じである。この場合にも、相変化型光ディスクと同様に、図１１，図１２に示した再生信号レベルの分布図が得られ、表４に示した例のように、記録条件テーブル最適化により、多値データ判定誤りの平均が低減する。
【産業上の利用可能性】
【００７２】
この発明による情報記録方法および情報記録装置は、光ディスク（ＣＤ、ＤＶＤなど）等の情報記録媒体に情報を記録する情報記録装置に適用することができる。
【図面の簡単な説明】
【００７３】
【図１】この発明による情報記録方法を実施する情報記録装置の一実施例である光ディスク記録再生装置の構成を示すブロック図である。
【図２】光ディスクの情報記録領域を示す模式的な平面図である。
【図３】図１に示した光ディスク記録再生装置で行う目標値の設定方法の説明に供する記録データ（テストデータ）とその再生信号波形を示す図である。
【図４】図１に示した光ディスク記録再生装置で行う目標値の他の設定方法の説明図に供する記録データとその再生信号波形を示す図である。
【図５】光ディスクにランダムな多値データ列を記録して、さの記録した多値データ列を再生したときの再生信号レベルの分布図である。
【００７４】
【図６】図５に示した分布図を判定対象に係る記録セルの直前に位置する記録セルに記録されている多値データを基準に書き換えた分布図である。
【図７】図１に示した光ディスク記録再生装置が光ディスクに所望の情報を記録するのに先立って実行する記録条件の補正（変更）処理における第１の工程の動作を示すフローチャートである。
【図８】同じくその記録条件の補正（変更）処理における第２の工程の動作を示すフローチャートである。
【図９】光ディスクに８値の多値レベル情報を記録線速度６．０ｍ／ｓで記録する場合における再生信号レベルのＴｏｆｆ（クーリングパルス幅）依存性を示す線図である。
【図１０】光ディスクの基板上の膜構成を示す模式的な断面図である。
【００７５】
【図１１】記録条件を補正した後の図５に対応する再生信号レベルの分布図である。
【図１２】図１２に示した分布図を判定対象に係る記録セルの直前に位置する記録セルに記録されている多値データを基準に書き換えた分布図である。
【図１３】ガラス原盤（基板）上にピット列を形成する工程とそのピット列による再生信号波形を説明するための説明図である。
【図１４】相変化型光ディスクに多値データ列「０，１，７，１，０」を記録したときの記録マーク観察結果の説明図である。
【図１５】図１４に示したパタン（１）とパタン（２）の部分を記録するときの記録レーザパワーの変化を示す波形図である。
【図１６】図１５に示した記録レーザパワーの説明図である。
【符号の説明】
【００７６】
１：モータ、２：再生信号増幅器、３：記録再生信号比較器、４：判別器、５：記録条件記億部、６け変調信号発生器、７：記録波形発生回路、８けレーザ駆動回路、９：光学ヘッド、１０：光ディスク、１１：オートゲインコントロール（ＡＧＣ）回路、２０：試し記録エリア、２１：ユーザエリア、１００：基板、１０１，１０３：誘電体膜、１０２：記録膜、１０４：反射膜
【図１】
2005158119.tif 000008
【図２】
2005158119.tif 000009
【図３】
2005158119.tif 000010
【図４】
2005158119.tif 000011
【図５】
2005158119.tif 000012
【図６】
2005158119.tif 000013
【図７】
2005158119.tif 000014
【図８】
2005158119.tif 000015
【図９】
2005158119.tif 000016
【図１０】
2005158119.tif 000017
【図１１】
2005158119.tif 000018
【図１２】
2005158119.tif 000019
【図１３】
2005158119.tif 000020
【図１４】
2005158119.tif 000021
【図１５】
2005158119.tif 000022
【図１６】
2005158119.tif 000023